(57)【要約】【課題】従来の衣服収納庫と比較して奥行寸法が小さくでき、より利便性の高い衣服収納庫を提供すること【解決手段】ハンガー保持部材が、間口と平行ではなく、また直角（奥行方向）でもないような、斜めに傾けた形態で据え付けられている。  ハンガー保持部材を斜めに傾けて据え付けることにより、「間口方向に平行にする方法」よりも奥行の寸法を小さくすることができ、しかも、「間口方向に直角の方法」で生ずる「奥側に収納された衣服の視認困難」や「奥側に収納された衣服の収納・取出しの煩雑さ」の不都合をなくすことができる。【選択図】図６
2017140347.tif 000002
【特許請求の範囲】
【請求項１】
天板もしくは棚板の下面即ち天井面に、衣服掛けのハンガーを保持するためのハンガー保持部材を有する衣服収納庫において、該ハンガー保持部材は、天板もしくは棚板の下面即ち天井面から所定間隔だけ離れて水平に維持されている直線の棒状形状の部分を有しており、該棒状形状の部分は、天板もしくは棚板の下方から垂直に見上げた状況で即ち天板もしくは棚板の二次元的な表現で、衣服収納庫の奥行方向と直角な間口方向に対して所定の角度で傾斜するように固定されていることを特徴とする衣服収納庫。
【請求項２】
天板もしくは棚板の下面即ち天井面に、複数個の請求項１に記載のハンガー保持部材を、各々全てに前記二次元的な表現で前記間口方向に対して所定の角度での傾斜を持たせた上で、該全てのハンガー保持部材を、前記間口方向と平行な一列となるように配列させたことを特徴とする衣服収納庫。
【請求項３】
天板もしくは棚板の下面即ち天井面に、ハンガー保持部材としての吊りフック部材を複数個有する衣服収納庫において、該複数個フック部材の各々は全て、該部材の脚部分を天板もしくは棚板の下面即ち天井面に挿入固着することで天板もしくは棚板の下面即ち天井面から全てのフック部材で同一のもしくは異なるものも含まれる所定間隔だけ離れて衣服掛けのハンガーを吊り下げるフック部分を有する部材であり、該フック部分に、天板もしくは棚板の下方から垂直に見上げた状況で即ち天板もしくは棚板の二次元的な表現で、衣服収納庫の奥行方向と直角な間口方向に対して全てのフック部材に於いて同一な所定の角度での傾斜を持たせた上で、該全てのフック部材を、前記間口方向と平行な一列となるように配列させたことを特徴とする衣服収納庫。
【請求項４】
請求項１乃至請求項３に記載の衣服収納庫の天板もしくは棚板を構成する板部材。
【発明の詳細な説明】
【技術分野】
【０００１】  本発明は衣服収納庫に関するものである。
【背景技術】
【０００２】  衣服をハンガーに掛けた状態で収納する形態の衣服収納庫としては、例えば洋服タンスのような衣服収納庫がある。このような衣服収納庫に於いては、そのハンガーを保持するため、棒状部材が、衣服収納庫の天板や棚板の下面（天井面）に直接に、或いは天板や棚板の下面（天井面）の近傍に据え付けられている。
そして、その棒状部材（ハンガー保持部材）の据付けの方向として、
ａ）棒状部材の長手方向を収納庫の間口方向と一致させる、即ちハンガー保持部材を収納庫の間口方向に平行にする方法（例えば「特開平０５−１６１５３３」で採用されており、これを図１１に示す）と、
ｂ）棒状部材の長手方向を収納庫の奥行方向と一致させる、即ちハンガー保持部材を収納庫の間口方向に直角にする方法（例えば「特開平０８−２１４９５９」で採用されており、これを図１２に示す）がある。
【特許文献１】特開平０５−１６１５３３号公報
【特許文献２】特開平０８−２１５９５９号公報
【発明の概要】
【発明が解決しようとする課題】
【０００３】  ａ）に示した、ハンガー保持部材を収納庫の間口方向に平行にする方法では、間口（収納庫の横幅）が許す範囲に於いて多数の衣服を収納できるという利点があるが、収納庫の奥行が少なくとも衣服の幅（ハンガーの幅）以上となるという制約がある。【０００４】  一方、ｂ）に示した、ハンガー保持部材を収納庫の間口方向に直角にする方法では、間口（収納庫の横幅）は衣服の幅（ハンガーの幅）以上という制約はあるものの、奥行は衣服収納数に応じて任意に小さくできるという利点がある。（即ち、衣服の厚みの寸法に収納数を掛けた値が、収納庫の奥行の最小寸法となる。但し、ここでの「衣服の厚み」とはハンガーを包含した衣服の厚みであり、場合によっては、例えば薄手のシャツのように衣服の状況により便宜的にハンガーの厚みと同等である見なせる。）
しかし、奥に収納された衣服は、手前にある衣服に遮られて目視による確認がし難く、また、それを取り出すには、場合によっては、その行為に先立ち手前側の衣服を一旦取り除かねばならず、この余分な作業が必要という不都合が生ずる。【０００５】  本発明の目的は、従来技術における上述の問題点を解決することができるような、即ち、奥行寸法を減少できしかも収納数の大きな、利便性の高い衣服収納庫を提供することにある。
【課題を解決するための手段】
【０００６】  上記課題を解決するため、本発明では、ハンガー保持部材が、間口と平行ではなく、また直角（奥行方向）でもないような、斜めに傾けた形態で据え付けられている。
【発明の効果】
【０００７】  ハンガー保持部材を斜めに傾けて据え付けることにより、「間口方向に平行にする方法」よりも奥行の寸法を小さくすることができ、しかも、「間口方向に直角の方法」で生ずる「奥側に収納された衣服の視認困難」や「奥側に収納された衣服の収納・取出しの煩雑さ」の不都合をなくすことができる。
【発明を実施するための形態】
【０００８】  以下、図面を参照して本発明の実施の形態の一例につき詳細に説明する。
【実施例１】
【０００９】  図１は、本発明による衣服収納庫の一実施形態を示す図である。衣服収納庫の天板にはハンガー保持部材が、間口と平行ではなく、また直角（奥行方向）でもないような、斜めに傾けた形態で据え付けられている。棒状のハンガー保持部材には、ハンガーが１本装着されており、これを破線にて表示した。【００１０】  図２は、本発明による衣服収納庫の他の一実施形態を示す図である。衣服収納庫の棚板にはハンガー保持部材が、間口と平行ではなく、また直角（奥行方向）でもないような、斜めに傾けた形態で据え付けられている。棒状のハンガー保持部材には、ハンガーが１本装着されており、これを破線にて表示した。【００１１】  図１および図２に於いては、ハンガー保持部材は、棒状の部材の両側に板状の補助部材が固着され、この補助部材でハンガー保持部材を天板や棚板に固定するような形態となっている。しかし、本発明に於いては、ハンガー保持部材の形状はこれに限定されるものではない。例えば、図１３に示すような、直線棒状部分を有する「Ｕ字ボルト（コの字ボルト）」を、その脚部分を天板や棚板の天井面に挿入固着することでハンガー保持部材を構成することができる。
要するに水平、即ち地面に対して平行（通常は収納庫はその天板や棚板が地面に対して水平となるよう置かれるので、天板や棚板の天井面に対して平行）な直線棒状の部分を有するような形状であればどのようなものでもよい。【００１２】  図３は、本発明による衣服収納庫の一実施形態を説明する図であり、図１もしくは図２に於いて下方より天板もしくは棚板の下面（天井面）を垂直に見上げた状態を描写したものである。図１もしくは図２と同じく、ハンガー保持部材に装着したハンガーを破線（目の細かい破線）にて表示した。【００１３】  例えば、ハンガー保持部材据え付けの傾斜の度合いを、間口方向を基準として時計回りに４５度（奥行方向に対してはマイナス４５度）の回転とした場合は、ハンガーはハンガー保持部材と直角に交わるような方向に位置するするため、結果として衣服は奥行方向に対して４５度の傾きとなる。従って、衣服の「奥行方向の成分の寸法」は、実際の衣服幅（衣服の肩幅）にＣＯＳ４５°（コサイン４５度）を掛けた値となり、即ち奥行方向に影響する大きさは、段落「０００２」ａ）に示した場合の約７０パーセントになる。【００１４】  なお、傾斜の度合いを６０度とした場合は、図４に示すように、衣服は奥行方向に対して６０度の傾きとなる。従って、奥行方向に影響する大きさは、ａ）に示した場合の５０パーセントになる。【００１５】  以上の説明に於いて、傾斜を持たせることについて、時計回りに回転させる場合を示したが、反時計回りに回転させても同様の結果となることは言うまでもない。【００１６】  図３もしくは図４に於ける長破線で囲まれた斜め長方形の区域は（ハンガー保持部材中のどの位置にハンガーがセットされるかによって種々変化することに起因する）ハンガーの存在する可能性のある領域であり、即ち、ハンガーで占められる可能性のある最大領域（以後、「ハンガー占有領域」と言う）である。【００１７】  そして、複数のハンガーが収納される場合も、全てのハンガーは、この「ハンガー占有領域」に存在することになるので、結果として、ハンガーの収納数は「ハンガー占有領域」の大きさに比例する。
（ただし、衣服を装着した状態では、複数のハンガーの間には隙間が生ずるので、実際の収納数はさらに少なくなる。）【００１８】  衣服の収納数に影響する「ハンガー占有領域」の大きさは、図３もしくは図４から明らかなように、ハンガーの長手方向寸法とハンガー保持部材の長さ寸法の積となる。
ハンガーの最大収納数は、ハンガー保持部材（棒状部材）の長さ寸法をハンガーの厚み寸法で割った値（小数点以下切捨て）を計算して求められるものであり、このことは、ａ）の間口と平行の方法でも、ｂ）の間口と直角でも、そして斜め傾斜でも、全て同じである。【００１９】  収納する衣服の実質的な寸法は、ハンガーの外側を衣服で包み込んだ形状を考えると、肩幅の大きさはハンガーの幅（長手方向寸法）に衣服素材の厚みを加味した程度と見なすことができ、ハンガー単体との違いは少ない。しかし、厚みの大きさ（胸の外側から背中の外側までの距離）は衣服の種類・スタイルやポケット収納物の有無等により種々異なり、場合によってはハンガーの厚みの数倍にもなり得る。【００２０】  従って、１個のハンガー保持部材に対する、ハンガー収納数（収納が可能な数）と衣服の収納数（収納が可能な数）は必ずしも一致するものではない。なお、ハンガーに「厚みが大きくなる衣服」を装着した場合は、衣服の一部が「ハンガー占有領域」の外に食み出る場合もあり得る。【００２１】  これまで、ハンガー保持部材据え付けの傾斜の度合いは、４５度および６０度の場合を示してきたが、本発明に於いては、据え付けの傾斜の度合いはこれらの角度に限定されるものではない。
図３および図４からも明らかなように、傾斜の度合いを４５度より大きくするほど、衣服の向きが間口方向に平行の状態に近づくため、「ハンガー占有領域」の奥行方向の成分は小さくなるので衣服収納庫の奥行の寸法を小さくできる。しかし、「奥側に収納された衣服の収納・取出しのし難さ」や「視認困難さ」が増すことになる。
従って本発明を使用するにあたっては、ハンガー保持部材据え付けの傾斜の度合いは、４５度を中心としてプラスマイナス１５度、即ち３０度乃至６０度程度が適当と思われる。【００２２】  傾斜の度合いを４５度にして、２本のハンガーを装着した場合を、図５および図６に示す。【００２３】  図６に於いても、図３と同様に、「ハンガー占有領域」は長破線で囲まれた斜め長方形の区域である。この「ハンガー占有領域」に収まる限りハンガーは２本以上何本でも装着が可能である。即ち、複数の衣服収納は２着に限らず、長破線で囲まれた斜め長方形の区域にハンガーが収まる限り（「ハンガー占有領域」から食み出した衣服が収納庫奥壁等に当たらない限りは）、多数収納が可能であることは言うまでもない。
【実施例２】
【００２４】  更に多数の衣服を収納するには、複数のハンガー保持部材を据え付ければ良い。これが、請求項２に示した発明である。【００２５】  一例として、４個のハンガー保持部材を据え付けたものを図７および図８に示す。左から２番目のものにのみ２本のハンガーが装着された状態が描かれているが、全てのハンガー保持部材について、「ハンガー占有領域」に収まる限りの本数のハンガーの装着が可能であることは言うまでもない。【００２６】  複数のハンガー保持部材の配置は、図８に示すように、各々を全て同一の所定角度（例えば４５度）に傾斜させた上で、これらに対し１列の配列（即ち、いわゆる「千鳥格子」の配列）を実施する。なお、その列は間口方向に平行となるようにする。
そして（各ハンガー保持部材に於いてハンガーの装着が少数で、衣服全体で見て全てが「ハンガー占有領域」に収まるような場合には）列内のハンガー保持部材それぞれの配置間隔は（図８に示されるように）それの「間口方向成分の寸法」と同一としても良い。【００２７】  このように配列することで、衣服収納庫内で「ハンガー占有領域」に成り得ない無駄な空間が少なくなり、かつ、各々の「ハンガー占有領域」が互いに重なり合うことがなくなる。
このように配列してもなお生ずる「ハンガー占有領域」と成り得ない空間（ハンガー長手方向の寸法を斜辺とする２つの直角三角形で、図８では左上と右下の部分）はハンガー以外の小物の収納等に活用すれば良い。【００２８】  なお、「ハンガー占有領域」の群と収納庫奥壁に挟まれた箇所、および、「ハンガー占有領域」の群と収納庫前面扉に挟まれた箇所のそれぞれに生ずる無駄な空間（図８では、左側下と右側上の複数の小さな三角形の集合）については、ハンガー保持部材を小型化することで（各々の三角形が更に小型化されるので）減少させることができる。そして、設置個数を増やすことで、トータルの衣服収納数の減少を抑えることができる。
【実施例３】
【００２９】  ハンガーを保持するための部材に適した形状は、棒状のみとは限らない。即ち、１個の保持部材につき１本のハンガーを保持できれば良いとするならば、例えば、「吊りフック（Ｑフック）」（図１４参照）や「Ｕ字釘」（図１５参照）等のフック部材が使用できる。【００３０】  ハンガー保持用のフック部材として図１４に示すような「吊りフック」１０個を、それぞれが間口方向に対して４５度の傾斜を持つようにして、一列に並べて据え付けたものを図９および図１０に示す。これが、請求項３に示した発明の一例である。図９では、左から５番目のものにのみハンガーが装着された状態が描かれているが、全てのフック部材についてハンガーの装着が可能であることは言うまでもない。図１０は、天板の下面（天井面）を垂直に見上げた状態を描写したものであるが、全てのフック部材についてハンガーが装着され、これらの全てに衣服が装着された状態を、細い微小長方形（フック部材）を取り囲むやや荒い破線にて示している。【００３１】  本発明は以上に説明した各実施形態に限定されるものではなく、例えば、本発明を構成するハンガー保持部材の形状、配置の傾斜角度、複数配置をする場合のそれぞれの配置間隔等は、本発明の趣旨を逸脱することなく、現実の実施対応に即して適宜変更ができるものであることは言うまでもない。
【産業上の利用可能性】
【００３２】  以上に説明した本発明の形態は、衣服を収納する調度や設備に於いて広く利用することができる。
【図面の簡単な説明】
【００３３】
【図１】本発明の一実施形態を示す図であり、衣服収納庫の天板下面（天井面）に１個のハンガー保持部材を収納庫間口方向に対して所定の角度（４５度）だけ傾斜させて取り付けた様子を示す。
【図２】本発明の他の一実施形態を示す図であり、衣服収納庫の棚板下面に１個のハンガー保持部材を収納庫間口方向に対して所定の角度（４５度）だけ傾斜させて取り付けた様子を示す。
【図３】図１に示した衣服収納庫の天板下面（天井面）、もしくは、図２に示した衣服収納庫の棚板下面（天井面）を、下方より垂直に見上げた状況で表現したものである。
【図４】図１に示した衣服収納庫の天板下面（天井面）、もしくは、図２に示した衣服収納庫の棚板下面（天井面）を、下方より垂直に見上げた状況で表現したものであるが、ハンガー保持部材は６０度傾斜させて取り付けられた状態にある。、
【図５】衣服収納庫の天板下面（天井面）に取り付けられた、収納庫間口方向に対して所定の角度だけ傾斜しているハンガー保持部材に対し、複数のハンガーが装着された状況を示す。
【図６】図５に示した衣服収納庫の天板下面（天井面）を下方より垂直に見上げた状況を表現したものである。
【図７】衣服収納庫の天板下面（天井面）に、収納庫間口方向に対して所定の角度だけ傾斜させた複数のハンガー保持部材を一列に、そしてその列が収納庫間口方向に平行となるように配列した様子を示す。
【図８】図７に示した衣服収納庫の天板下面（天井面）を下方より垂直に見上げた状況で表現したものである。
【図９】衣服収納庫の天板下面（天井面）に、収納庫間口方向に対して所定の角度だけ傾斜させた複数のハンガー保持のためのフック部材を一列に、そしてその列が収納庫間口方向に平行となるように配列した様子を示す。
【図１０】図９に示した衣服収納庫の天板下面（天井面）を下方より垂直に見上げた状況で表現したものであり、それぞれのフック部材にはハンガーを介して衣服が掛けられている様子を示す。
【図１１】従来技術に於いて「ハンガー保持部材を収納庫の間口方向に平行にする方法」を採用して衣服を収納した様子を示す図である。ハンガー保持部材は棚板の下面に直接取り付けられているものもある。
【図１２】従来技術に於いて「ハンガー保持部材を収納庫の間口方向に直角にする方法」を採用して衣服を収納した様子を示す図である。ハンガー保持部材は天板の下面の近傍に取り付けられている。
【図１３】本発明に於いて、ハンガー保持部材として使用可能な「Ｕ字ボルト」の外観を示す。
【図１４】本発明に於いて、ハンガー保持部材として使用可能な「吊りフック」の外観を示す。
【図１５】本発明に於いて、ハンガー保持部材として使用が可能な「Ｕ字釘」の外観を示す。
【符号の説明】
【００３４】１０    …  ハンガー保持部材
１１    …  収納庫天板
１２    …  収納庫棚板
１３    …  収納庫奥壁
１４    …  収納庫左側壁
１５    …  収納庫右側壁
１６    …  ハンガー
１７    …  ハンガー占有領域
１８    …  吊りフック
１９    …  衣服
２０    …  直線棒状部分
２１    …  脚部分
２２    …  フック部分
【図１】
2017140347.tif 000003
【図２】
2017140347.tif 000004
【図３】
2017140347.tif 000005
【図４】
2017140347.tif 000006
【図５】
2017140347.tif 000007
【図６】
2017140347.tif 000008
【図７】
2017140347.tif 000009
【図８】
2017140347.tif 000010
【図９】
2017140347.tif 000011
【図１０】
2017140347.tif 000012
【図１１】
2017140347.tif 000013
【図１２】
2017140347.tif 000014
【図１３】
2017140347.tif 000015
【図１４】
2017140347.tif 000016
【図１５】
2017140347.tif 000017
【手続補正書】
【提出日】平成28年8月30日(2016.8.30)
【手続補正１】
【補正対象書類名】特許請求の範囲
【補正対象項目名】請求項１
【補正方法】変更
【補正の内容】
【請求項１】
天板もしくは棚板の下面即ち天井面に、衣服掛けのハンガーを保持するためのハンガー保持部材を複数個有する衣服収納庫において、該全てのハンガー保持部材は、天板もしくは棚板の下面即ち天井面から所定間隔だけ離れて水平に維持されている直線の棒状形状の部分を有しており、それぞれの該棒状形状の部分は全て、天板もしくは棚板の下方から垂直に見上げた状況で即ち天板もしくは棚板の二次元的な表現で、衣服収納庫の奥行方向と直角な間口方向に対して所定の角度で傾斜した状態であり、かつ、該全てのハンガー保持部材は、前記間口方向と平行な一列となるように配置され、列内のハンガー保持部材それぞれの配置間隔がハンガー保持部材の間口方向成分の寸法と同一になるように配置されていることを特徴とする衣服収納庫。
【手続補正２】
【補正対象書類名】特許請求の範囲
【補正対象項目名】請求項２
【補正方法】変更
【補正の内容】
【請求項２】
請求項１に記載の衣服収納庫の天板もしくは棚板を構成する板部材。
【手続補正３】
【補正対象書類名】特許請求の範囲
【補正対象項目名】請求項３
【補正方法】削除
【補正の内容】
【手続補正４】
【補正対象書類名】特許請求の範囲
【補正対象項目名】請求項４
【補正方法】削除
【補正の内容】
【手続補正５】
【補正対象書類名】明細書
【補正対象項目名】００２４
【補正方法】変更
【補正の内容】
【００２４】  更に多数の衣服を収納するには、複数のハンガー保持部材を据え付ければ良い。これが、請求項１に示した発明である。
【手続補正６】
【補正対象書類名】明細書
【補正対象項目名】００３０
【補正方法】変更
【補正の内容】
【００３０】  ハンガー保持用のフック部材として図１４に示すような「吊りフック」１０個を、それぞれが間口方向に対して４５度の傾斜を持つようにして、一列に並べて据え付けたものを図９および図１０に示す。図９では、左から５番目のものにのみハンガーが装着された状態が描かれているが、全てのフック部材についてハンガーの装着が可能であることは言うまでもない。図１０は、天板の下面（天井面）を垂直に見上げた状態を描写したものであるが、全てのフック部材についてハンガーが装着され、これらの全てに衣服が装着された状態を、細い微小長方形（フック部材）を取り囲むやや荒い破線にて示している。
【手続補正書】
【提出日】平成28年10月6日(2016.10.6)
【手続補正２】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
天板もしくは棚板の下面即ち天井面に、衣服掛けのハンガーを保持するためのハンガー保持部材を複数個有する衣服収納庫において、該全てのハンガー保持部材は、天板もしくは棚板の下面即ち天井面から所定間隔だけ離れて水平に維持されている直線の棒状形状の部分を有しており、それぞれの該棒状形状の部分は全て、天板もしくは棚板の下方から垂直に見上げた状況で即ち天板もしくは棚板の二次元的な表現で、衣服収納庫の奥行方向と直角な間口方向に対して所定の角度で傾斜した状態であり、かつ、該全てのハンガー保持部材は、前記間口方向と平行な一列となるように配置され、列内のハンガー保持部材それぞれの配置間隔がハンガー保持部材の間口方向成分の寸法と同一になるように配置されていることを特徴とする衣服収納庫。
【請求項２】
請求項１に記載の衣服収納庫の天板もしくは棚板を構成する板部材。
【手続補正３】
【補正対象書類名】手続補正書
【補正対象項目名】手続補正２
【補正方法】削除
【補正の内容】
【手続補正４】
【補正対象書類名】手続補正書
【補正対象項目名】手続補正３
【補正方法】削除
【補正の内容】
【手続補正５】
【補正対象書類名】手続補正書
【補正対象項目名】手続補正４
【補正方法】削除
【補正の内容】